(57)【要約】  生地に取り付けられた状態で、生地をより目立たせることができる金属製の雄スナップボタンを提供する。雄スナップボタン（１０）は、金属製の雄スナップ本体（２０）と、雄スナップ本体（２０）を生地（１）に固定するための固定部材（３０）とからなる。雄スナップ本体（２０）は、雌スナップボタン（４０）の雌側係合部（６０）と着脱自在に係合可能な環状の雄側係合部（２１）と、複数の爪部（２７）とを備える。雄側係合部（２１）は、その半径方向内側に生地（１）を露出させる開口（２８）を規定する。開口（２８）の直径（Ｄ１）は、開口（２８）の半径方向外側端から雄スナップ本体（２０）の半径方向外側端までの半径方向に沿う長さ（Ｗ１）よりも大きい。固定部材（３０、３０ａ）は複数の爪部（２７）を受け入れる爪部収容部（３３）を含む。
2020105194.tif 000002
【特許請求の範囲】
【請求項１】
金属製の雄スナップ本体（２０）と、前記雄スナップ本体（２０）を生地（１）に固定するための固定部材（３０、３０ａ）とからなる雄スナップボタン（１０）であって、前記雄スナップ本体（２０）は、雌スナップボタン（４０、１４０）の雌側係合部（６０）と着脱自在に係合可能な環状の雄側係合部（２１）と、複数の爪部（２７）とを備え、前記雄側係合部（２１）は、その半径方向内側に前記生地（１）を露出させる開口（２８）を規定し、前記開口（２８）の直径（Ｄ１）は、前記開口（２８）の半径方向外側端から前記雄スナップ本体（２０）の半径方向外側端までの半径方向に沿う長さ（Ｗ１）よりも大きく、前記固定部材（３０、３０ａ）は前記複数の爪部（２７）を受け入れる爪部収容部（３３）を含む雄スナップボタン。
【請求項２】
前記雄側係合部（２１）は、前記開口（２８）を規定する内側周壁（２３）を含み、前記複数の爪部（２７）は前記内側周壁（２３）から延びる請求項１に記載の雄スナップボタン。
【請求項３】
前記固定部材（３０、３０ａ）は、前記複数の爪部（２７）を前記爪部収容部（３３）に案内するための環状傾斜部（３２）を含む請求項１又は２に記載の雄スナップボタン。
【請求項４】
雌スナップ本体（５０、１５０、２５０）と、前記雌スナップ本体（５０、１５０、２５０）を生地（２）に固定するための固定部材（３０、３０ａ）とからなる雌スナップボタン（４０、１４０）であって、前記雌スナップ本体（５０、１５０、２５０）は、雄スナップボタン（１０）の雄側係合部（２１）と着脱自在に係合可能な環状の雌側係合部材（６０、２６０）と、前記雌側係合部材（６０、２６０）を保持する保持部（５１、１５１、２５１）を含む金属製の環状部材（５１Ａ、１５１Ａ、２５１Ａ）と、金属製の複数の爪部（５７、１５７、２５７）とを備え、前記雌側係合部材（６０、２６０）又は前記環状部材（５１Ａ、１５１Ａ、２５１Ａ）は、その半径方向内側に前記生地（２）を露出させる開口（５８、１５８、２５８）を規定し、前記開口（５８、１５８、２５８）の直径（Ｄ２、Ｄ３、Ｄ４）は、前記開口（５８、１５８、２５８）の半径方向外側端から前記雌スナップ本体（５０、１５０、２５０）の半径方向外側端までの半径方向に沿う長さ（Ｗ２、Ｗ３、Ｗ４）よりも大きく、前記固定部材（３０、３０ａ）は前記複数の爪部（５７、１５７、２５７）を受け入れる爪部収容部（３３）を含む雌スナップボタン。
【請求項５】
前記環状部材（５１Ａ、１５１Ａ）は底壁（５４、１５４）を含み、前記複数の爪部（５７、１５７）は前記底壁（５４、１５４）の半径方向内側端（５４ａ、１５４ａ）から延び、前記底壁（５４、１５４）の半径方向内側端（５４ａ、１５４ａ）及び前記複数の爪部（５７、１５７）各々の基端（５７ａ、１５７ａ）が前記開口（５８、１５８）を規定する請求項４に記載の雌スナップボタン。
【発明の詳細な説明】
【技術分野】
【０００１】
本発明は、雄スナップボタン及び雌スナップボタンに関し、特に衣服等の生地を貫通させた後に加締めるための複数の爪部を含む基本的に金属製の雄スナップボタン及び雌スナップボタンに関する。
【背景技術】
【０００２】
複数の爪部を含む金属製のスナップボタンは、例えば、国際公開第ＷＯ２０１８／０２９７６５号（特許文献１）等に開示されている。特許文献１のスナップボタンは、雄側又は雌側係合部を含む雄又は雌スナップ本体（スナップ本体）と固定部材とからなり、固定部材に複数の爪部が設けられ、スナップ本体に複数の爪部を受け入れる爪部収容部が設けられている。スナップ本体及び固定部材を生地に取り付ける場合、固定部材の爪部を生地に貫通させた後、スナップ本体の爪部収容部内に爪部を加締めつつ収容することにより、スナップ本体が固定部材と共に生地に固定される。しかしながら、このスナップボタンは、スナップ本体側に爪部収容部を設けているため、生地上においてスナップ本体の厚さ（高さ）が爪部収容部分厚くなるという問題があった。【０００３】
特公平６−６１２８９号公報（特許文献２）には、複数の爪部をスナップ本体側に設けた雌スナップボタンが開示されている。この雌スナップボタンでは、爪部収容部を固定部材側に設けることにより、生地上におけるスナップ本体の厚さを薄くすることができる。【０００４】
スナップボタンを衣服等の生地に取り付けることによって生地が部分的に隠れるが、この生地が隠れる部分を極力小さくして生地をより目立たせたり、スナップボタンをより目立たなくするという要望がある。このような要望は生地に樹脂を射出成形して形成される樹脂製のスナップボタンにより実現している。しかしながら、基本的に金属製のスナップボタンでは実現していないのが現状である。
【先行技術文献】
【特許文献】
【０００５】
【特許文献１】国際公開第ＷＯ２０１８／０２９７６５号
【特許文献２】特公平６−６１２８９号公報
【発明の概要】
【発明が解決しようとする課題】
【０００６】
従って、本発明の目的は、生地に取り付けられた状態で、生地をより目立たせることができる基本的に金属製の雄スナップボタン及び雌スナップボタンを提供することである。
【課題を解決するための手段】
【０００７】
上記課題を解決するため、本発明の一側面によれば、金属製の雄スナップ本体と、前記雄スナップ本体を生地に固定するための固定部材とからなる雄スナップボタンであって、前記雄スナップ本体は、雌スナップボタンの雌側係合部と着脱自在に係合可能な環状の雄側係合部と、複数の爪部とを備え、前記雄側係合部は、その半径方向内側に前記生地を露出させる開口を規定し、前記開口の直径は、前記開口の半径方向外側端から前記雄スナップ本体の半径方向外側端までの半径方向に沿う長さよりも大きく、前記固定部材は前記複数の爪部を受け入れる爪部収容部を含む雄スナップボタンが提供される。【０００８】
本発明では、雄スナップボタンは金属製の雄スナップ本体と固定部材とから構成される。雄スナップ本体は雄側係合部と複数の爪部とを備え、固定部材は複数の爪部を受け入れる爪部収容部を含む。雄側係合部は、その半径方向内側に生地を露出させる開口を規定し、この開口の直径は、開口の半径方向外側端から雄スナップ本体の半径方向外側端までの半径方向に沿う長さよりも大きい。開口の半径方向外側端から雄スナップ本体の半径方向外側端までの半径方向に沿う長さは、換言すれば、開口を囲む雄スナップ本体の半径方向に沿う幅とも言える（そのため、以下、「雄スナップ本体幅」ともいう。）。雄スナップボタンを生地に取り付ける場合、雄スナップ本体の複数の爪部を生地の一面側から他面側に貫通させ、生地の他面側において複数の爪部を固定部材の爪部収容部内に加締めつつ収容する。これにより雄スナップ本体が固定部材と共に生地に取り付けられる。この生地取付状態において、雄スナップ本体の爪部以外の部分である雄側係合部が生地の一面側に現れ、固定部材は生地の他面側から適用される。雄スナップボタンが生地に取り付けられた状態において、生地面が開口から外部に露出するが、この開口の直径が雄スナップ本体幅よりも大きいため、雄スナップ本体側で生地の一面側を比較的大きく露出させることが可能となる。このように生地を目立たせることができる一方、生地を露出させる開口の直径に比べ雄スナップ本体幅が小さいため、生地上で雄スナップ本体を目立たなくさせることができる。【０００９】
本発明の一実施形態において、前記雄側係合部は、前記開口を規定する内側周壁を含み、前記複数の爪部は前記内側周壁から延びる。本形態では、雄側係合部の内側周壁が雄スナップ本体において最も半径方向内側にあって開口を規定する。また、各爪部は内側周壁から延びる。そのため、各爪部の基端は、半径方向において内側周壁と同じ位置にある。これにより、雄スナップ本体において内側周壁及び爪部の基端よりも半径方向内側には雄スナップ本体の他の部分はなく、生地を露出させるための内側周壁の開口を極力大きく設定可能となる。【００１０】
本発明において、雄スナップ本体は、アルミニウム、アルミニウム合金、銅、銅合金、鉄、ステンレス鋼等の金属から形成されるが、それらに限定されるものではない。固定部材は、雄スナップ本体と同様の金属や熱可塑性樹脂等から形成可能である。固定部材が有する爪部の数は少なくとも２本であり、好ましくは３本以上、特に好ましくは４〜６本であるが、これらに限定されるものではない。【００１１】
本発明の別の側面によれば、雌スナップ本体と、前記雌スナップ本体を生地に固定するための固定部材とからなる雌スナップボタンであって、前記雌スナップ本体は、雄スナップボタンの雄側係合部と着脱自在に係合可能な環状の雌側係合部材と、前記雌側係合部材を保持する保持部を含む金属製の環状部材と、金属製の複数の爪部とを備え、前記雌側係合部材又は前記環状部材は、その半径方向内側に前記生地を露出させる開口を規定し、前記開口の直径は、前記開口の半径方向外側端から前記雌スナップ本体の半径方向外側端までの半径方向に沿う長さよりも大きく、前記固定部材は前記複数の爪部を受け入れる爪部収容部を含む雌スナップボタンが提供される。【００１２】
本発明では、雌スナップボタンは雌スナップ本体と固定部材とから構成される。雌スナップ本体は、雌側係合部材と、金属製の環状部材と、金属製の複数の爪部とを備え、環状部材は雌側係合部材を保持する保持部を含む。雌側係合部材又は環状部材は、その半径方向内側に生地を露出させる開口を規定し、この開口の直径は、開口の半径方向外側端から雌スナップ本体の半径方向外側端までの半径方向に沿う長さ（以下、「雌スナップ本体幅」ともいう。）よりも大きい。雌スナップボタンを生地に取り付ける場合、雌スナップ本体の複数の爪部を生地の一面側から他面側に貫通させ、生地の他面側において複数の爪部を固定部材の爪部収容部内に加締めつつ収容する。これにより雌スナップ本体が固定部材と共に生地に取り付けられる。この生地取付状態において、雌スナップ本体の爪部以外の部分である、雌側係合部材を保持部で保持した環状部材が生地の一面側に現れ、固定部材は生地の他面側から適用される。雌スナップボタンが生地に取り付けられた状態において、生地面が開口から外部に露出するが、この開口の直径が雌スナップ本体幅よりも大きいため、雌スナップ本体側で生地の一面側を比較的大きく露出させることが可能となる。このように生地を目立たせることができる一方、生地を露出させる開口の直径に比べ雌スナップ本体幅が小さいため、生地上で雄スナップ本体を目立たなくさせることができる。【００１３】
本発明において、雌側係合部材が開口を規定する場合、雌側係合部材の半径方向内側端は環状部材の半径方向内側端よりも半径方向内側に位置する。また、環状部材が開口を規定する場合、環状部材の半径方向内側端は雌側係合部材の半径方向内側端よりも半径方向内側に位置する。【００１４】
本発明の一実施形態では、前記環状部材は底壁を含み、前記複数の爪部は前記底壁の半径方向内側端から延び、前記底壁の半径方向内側端及び前記複数の爪部の基端が前記開口を規定する。本形態では、環状部材の底壁が雌スナップ本体において最も半径方向内側に延び、各爪部は底壁の半径方向内側端から延び、底壁の半径方向内側端及び複数の爪部の基端が開口を規定する。そのため、雌スナップ本体において底壁及び爪部の基端よりも半径方向内側には雌スナップ本体の他の部分や部材はなく、生地を露出させるための開口を極力大きく設定可能となる。【００１５】
本発明において、雌側係合部材以外の雌スナップ本体である環状部材及び爪部材は、アルミニウム、アルミニウム合金、銅、銅合金、鉄、ステンレス鋼等の金属から形成されるが、それらに限定されるものではない。雌側係合部材は、熱可塑性樹脂や熱硬化性樹脂あるいは環状部材及び爪部材と同様の金属から形成されるが、それらに限定されるものではない。固定部材は、環状部材及び爪部材と同様の金属や熱可塑性樹脂等から形成可能である。固定部材が有する爪部の数は少なくとも２本であり、好ましくは３本以上、特に好ましくは４〜６本であるが、これらに限定されるものではない。
【発明の効果】
【００１６】
本発明では、基本的に金属製である雄スナップボタン及び雌スナップボタンにおいて、生地を露出させる開口の直径を雄又は雌スナップ本体幅よりも大きくすることにより、雄又は雌スナップ本体で生地を極力隠さずに開口から生地を比較的大きく露出させて、生地をより目立たせることができる。
【図面の簡単な説明】
【００１７】
【図１】図１は、本発明の一実施形態に係る雄スナップボタンを生地に取り付けた状態を示す斜視図である。
【図２】図２は、図１の雄スナップボタンの断面図である。
【図３】図３は、生地に取り付けられた雄スナップボタンを固定部材側から見た平面図である。
【図４】図４は、生地に取り付ける前の雄スナップ本体と固定部材を示す斜視図である。
【図５】図５は雄スナップ本体の平面図である。
【図６】図６は、図５のＡ−Ａ線に沿う雄スナップ本体の断面図である。
【図７】図７は固定部材の断面図である。
【図８】図８は、本発明の一実施形態に係る雌スナップボタンを生地に取り付けた状態を示す斜視図である。
【図９】図９は、図８の雌スナップボタンの断面図である。
【図１０】図１０は、生地に取り付ける前の雌スナップ本体と固定部材を示す斜視図である。
【図１１】図１１は雌スナップ本体の平面図である。
【図１２】図１２は、図１１のＢ−Ｂ線に沿う雌スナップ本体５０の断面図である。
【図１３】図１３は雄スナップボタンと雌スナップボタンが係合した状態を示す断面図である。
【図１４】図１４は、本発明の別の実施形態に係る雌スナップボタンを生地に取り付けた状態を示す斜視図である。
【図１５】図１５は、生地に取り付ける前の雌スナップ本体を示す斜視図である。
【図１６】図１６は雌スナップ本体の平面図である。
【図１７】図１７は図１６のＣ−Ｃ線に沿う雌スナップ本体の断面図である。
【図１８】図１８は、固定部材の変形例を示す断面図である。
【図１９】図１９は雌スナップ本体の変形例を示す平面図である。
【図２０】図２０は図１９のＤ−Ｄ線に沿う雌スナップ本体の断面図である。
【発明を実施するための形態】
【００１８】
以下、本発明の好ましい実施形態を説明するが、本発明はそのような実施形態に限定されるものではなく、特許請求の範囲及び均等の範囲内で適宜変更等することができる。
【００１９】
図１及び図２は、本発明の一実施形態に係る雄スナップボタン１０を生地１に取り付けた状態を示す斜視図及び断面図である。雄スナップボタン１０は、雄スナップ本体２０と固定部材３０の２部品からなる。図３は、生地１に取り付けられた雄スナップボタン１０を固定部材３０側から見た平面図である。図４は、生地１に取り付ける前の雄スナップ本体２０と固定部材３０を示す斜視図である。図５は雄スナップ本体２０の平面図である。図６は図５のＡ−Ａ線に沿う雄スナップ本体２０の断面図である。図７は固定部材３０の断面図である。
【００２０】
以下の雄スナップ本体２０の説明において、上下方向は図６の紙面に基づくものとする。雄スナップ本体２０は、金属製の板材を絞り加工等して形成される単一部材であり、円環状の雄側係合部２１と、雄側係合部２１から軸方向下方へと一例として５本延びる爪部２７とを備える。雄側係合部２１は、後述する雌スナップボタン４０の雄側係合部である雌側係合部材６０と着脱自在に係合する部分である。雄側係合部２１は、生地１に雄スナップボタン１０を取り付けた状態において生地１の上面（一面）１ａ側に現れる。固定部材３０は生地１の下面（他面）１ｂ側に適用される。図２、図６等を参照して、雄スナップ本体２０の雄側係合部２１は、外側周壁２２と、内側周壁２３と、外内側周壁２２、２３の上端間を連結する連結部２４と、外側周壁２２の下端から半径方向外側に延びる環状鍔部２５とを含む。環状鍔部２５は雄スナップ本体２０において最も半径方向外側に延びる。外側周壁２２と内側周壁２３との間には間隙が存在する。外側周壁２２は、その外径が最大となる係合頭部２６を上端部に有する。
【００２１】
内側周壁２３は、雄側係合部２１において最も半径方向内側にあり、内側周壁２３の内周面２３ａは上下に開放する円形の開口２８を規定する。図５を参照して、開口２８の直径Ｄ１は、開口２８の半径方向外側端から雄スナップ本体２０の半径方向外側端まで、すなわち環状鍔部２５の半径方向外側端までの半径方向に沿う長さ（雄スナップ本体幅）Ｗ１よりも大きい。本実施形態では、Ｄ１はＷ１の約３倍である。雄スナップ本体２０が生地１に取り付けられた状態で生地１の上面１ａは開口２８から外部に露出する（図１参照）。そのため、ユーザは、内側周壁２３よりも半径方向内側に現れる生地１の上面１ａを見ることができる。各爪部２７は、雄側係合部２１の内側周壁２３の下端２３ｂから連続的に下方に延びる。爪部２７は、内側周壁２３の下端２３ｂにおいて周方向に等間隔で設けられる。各爪部２７の周方向に沿う幅は上方の基端から下方へと縮小し、下端（先端）が鋭利となる。本例では、各爪部２７は雄スナップ本体２０の軸線に実質的に平行に延びる。各爪部２７の基端（上端）の半径方向における位置は、雄側係合部２１の内側周壁２３の半径方向位置と実質的に同じである。そのため、雄スナップ本体２０において、内側周壁２３及び爪部２７の基端が最も半径方向内側に存在し、内側周壁２３及び爪部２７の基端よりも半径方向内側に雄スナップ本体２０の他の部分は存在しない。これにより、雄スナップ本体２０を生地１に取り付けた状態において、生地１の上面１ａを雄側係合部２１で大きく隠すことなく、内側周壁２３及び爪部２７より半径方向内側の円形領域で比較的広く生地を露出させることができる。各爪部２７は、雄スナップボタン１０を生地１に取り付ける際に、生地１を上面１ａ側から下面１ｂ側に貫通した後、固定部材３０の後述する爪部収容部３３内に湾曲しつつ受け入れられる。
【００２２】
以下の固定部材３０の説明について、上下方向は図７の紙面に基づくものとする。固定部材３０は、実質的に平坦で円形の中央部３１と、中央部３１の半径方向外側端から半径方向外側かつ下方へと延びる環状傾斜部３２と、環状傾斜部３２から更に半径方向外側に延びた後、上方かつ半径方向内側にＣ字状に湾曲する爪部収容部３３とを備える。中央部３１の下面には、文字、記号、図形等が印刷、めっき、刻印等によって付されてもよい。刻印の場合、中央部３１の上下面に凹凸が生じ得る。また、後述するように中央部３１が開口していたり（図１８参照）、図示はしないが中央部３１を文字、記号、図形等の形状でくり抜いて中央部３１に貫通孔状のデザインを付与することができる。爪部収容部３３はほぼ平坦な末端部３４を含む。末端部３４は、上下方向（軸方向）において中央部３１のわずかに上方に位置する。末端部３４の末端３４ａは、半径方向において環状傾斜部３２と爪部収容部３３との境界付近に位置する。爪部収容部３３の末端３４ａは環状傾斜部３２（及び他の固定部材３０の部分）から離れており、末端３４ａと環状傾斜部３２との間の環状の間隙（３５）は、雄スナップボタン１０を生地１に取り付ける際、生地１を下方に貫通した雄スナップ本体２０の爪部２７を、固定部材３０の爪部収容部３３の内部に受け入れる受け入れ口３５となる。
【００２３】
生地１への取り付け前すなわち初期状態の雄スナップ本体２０と固定部材３０とを同心状に配置した場合、内側周壁２３及び爪部２７は、半径方向において、固定部材３０の環状傾斜部３２の上下端間に対応する位置にある。また、固定部材３０の爪部収容部３３の末端３４ａは、内側周壁２３及び爪部２７よりも半径方向においてわずかに外側に位置する。雄スナップ本体２０の最大外径すなわち環状鍔部２５の半径方向外側端の外径は、固定部材３０の最大外径すなわち爪部収容部３３の最大外径とほぼ同じである。
【００２４】
以下の雄スナップボタン１０の生地１への取り付けの説明において、上下方向は図２の紙面に基づくものとする。雄スナップボタン１０を図２に示すように生地１に取り付ける場合、図示しないボタン取付装置の上方ダイに雄スナップ本体２０を保持させ、下方ダイに固定部材３０をセットし、更に固定部材３０上に生地１を配する。この状態から上方ダイを降下させると、雄スナップ本体２０の各爪部２７が生地１を下方に貫通した後、各爪部２７の先端が固定部材３０の環状傾斜部３２に突き当たる。各爪部２７は、次いで、環状傾斜部３２の傾斜する上面に沿って半径方向外側に曲がりつつ受け入れ口３５から爪部収容部３３の内部に案内され、爪部収容部３３の内面に沿ってＣ字状に湾曲するように加締められる。このように雄スナップ本体２０の各爪部２７が爪部収容部３３内で加締められることにより、雄スナップ本体２０が固定部材３０と共に生地１に取り付けられる（図２参照）。生地１に取り付けられた状態において、雄側係合部２１は生地１の上面１ａ上に円環状に現れ（図１参照）、環状鍔部２５が生地１の上面１ａに接する。また、雄側係合部２１の内側周壁２３の下端２３ｂが生地１の上面１ａに接し、内側周壁２３の内周面２３ａが規定する開口２８から生地１の上面１ａが外部に露出する。上述したように開口２８の直径Ｄ１＞雄スナップ本体幅Ｗ１であるため、雄スナップ本体２０の雄側係合部２１が生地１上で比較的目立たず、上面１ａをほとんど隠すことなく露出させるため、従来のスナップボタンに比べて生地１を目立たせることができる。更に、爪部２７を雄スナップ本体２０側に設け、爪部収容部３３を固定部材３０に設けたことにより、生地１上の雄側係合部２１の厚さ（高さ）を薄くすることができる。
【００２５】
図８及び図９は、本発明の一実施形態に係る雌スナップボタン４０を生地２に取り付けた状態を示す斜視図及び断面図である。雌スナップボタン４０は、雌スナップ本体５０と固定部材３０の２部材からなる。固定部材３０は、既述した雄スナップボタン１０の固定部材３０と共通のものである。図１０は、生地２に取り付ける前の雌スナップ本体５０と固定部材３０を示す斜視図である。図１１は雌スナップ本体５０の平面図である。図１２は図１１のＢ−Ｂ線に沿う雌スナップ本体５０の断面図である。
【００２６】
以下の雌スナップ本体５０の説明について、上下方向は図１２の紙面に基づくものとする。雌スナップ本体５０は、円環状又はＣ字状の雌側係合部材６０と、雌側係合部材６０を保持する円環状の保持部５１を含む金属製の環状部材５１Ａと、環状部材５１Ａから軸方向下方へと一例として５本延びる金属製の爪部５７とを備える。雌側係合部材６０は樹脂製又は金属製であり、上述した雄スナップボタン１０の雄側係合部２１と着脱自在に係合する部材である。図１３は、雄スナップボタン１０と雌スナップボタン４０とが係合した状態を示す断面図である。雌側係合部材６０は、その内径が最小となる係合端６１を上下方向中間よりやや上に有する。雄スナップボタン１０と雌スナップボタン４０の着脱係合時において、雌側係合部材６０は雄側係合部２１の係合頭部２６が雌側係合部材６０の係合端６１を軸方向一方又は他方に越える時、一時的に半径方向外側に弾性的に拡張可能である。環状部材５１Ａ及び爪部５７は、金属製の板材を絞り加工等して形成される単一部材である。環状部材５１Ａは雌側係合部材６０と共に、生地２に雌スナップボタン４０を取り付けた状態において生地２の上面（一面）２ａ側に来る。固定部材３０は生地２の下面（他面）２ｂ側に適用される。図９、図１２等を参照して、環状部材５１Ａは、雌側係合部材６０を保持する保持部５１を含む。保持部５１は、周側壁５２と、周側壁５２の上端から半径方向内側に延びる上壁５３と、周側壁５２の下端から半径方向内側に延びる底壁５４とを含む。雌側係合部材６０は上壁５３と底壁５４との間に収容される。上壁５３は、雌側係合部材６０の半径方向外側部分を覆う。底壁５４は雌側係合部材６０の半径方向幅を越えて半径方向内側に延びる。底壁５４における雌側係合部材６０よりも半径方向内側に延びる部分は、厳密には環状部材５１Ａの一部ではあるが保持部５１の一部ではない。すなわち、本実施形態では、環状部材５１Ａは保持部５１と底壁５４における雌側係合部材６０よりも半径方向内側に延びる部分とからなる。図１２等の初期状態において、雌側係合部材６０と周側壁５２との間にはわずかな間隙があり、この間隙が雄側係合部材６０の半径方向外側への弾性的拡張を許容する。
【００２７】
本実施形態において、底壁５４は、上壁５３よりも半径方向内側に延びる。なお、底壁５４と上壁５３がほぼ同程度に半径方向内側に延びている場合もあり得る。各爪部５７は、底壁５４の半径方向内側端５４ａから連続的に下方に延びる。底壁５４の半径方向内側端５４ａは各爪部５７の基端（上端）５７ａと共に、上下に開放するほぼ円形の開口５８を規定する。図１１を参照して、開口５８の直径Ｄ２は、開口５８の半径方向外側端から雌スナップ本体５０の半径方向外側端である周側壁５２までの半径方向に沿う長さ（雌スナップ本体幅）Ｗ２よりも大きい。本実施形態では、Ｄ２はＷ２の約３倍である。雌スナップボタン４０が生地２に取り付けられた状態で生地２の上面２ａは開口５８から外部に露出し（図８参照）、生地２上において各爪部５７の基端５７ａが底壁５４の半径方向内側端５４ａよりもわずかに半径方向内側に存在する。ユーザは、開口５８から露出する生地２の上面２ａを見ることができる。爪部５７は、底壁５４の半径方向内側端５４ａにおいて周方向に等間隔で設けられる。各爪部５７の周方向に沿う幅は下方へと縮小して下端（先端）が鋭利となる。各爪部５７は雌スナップ本体５０の軸線に実質的に平行に延びる。そのため、各爪部５７の半径方向における位置は、保持部５１の底壁５４の半径方向内側端５４ａの半径方向位置とほぼ同じである。本実施形態では、各爪部５７は底壁５４の半径方向内側端５４ａから半径方向内側にわずかに突き出るように湾曲しつつ下方に延びる。そのため、雌スナップ本体５０において、爪部５７の基端５７ａが最も半径方向内側に存在し、基端５７ａよりも半径方向内側に雌スナップ本体５０の他の部分や部材は存在しない。また、上述したように開口５８の直径Ｄ２＞雌スナップ本体幅Ｗ２であるため、雌スナップ本体５０を生地２に取り付けた状態において、環状部材５１Ａ及び雌側係合部材６０が上面２ａを大きく隠すことなく、開口５８から上面２ａを露出させて生地２を目立たせることができる。各爪部５７は、雌スナップボタン４０を生地２に取り付ける際に、生地２を上面２ａ側から下面２ｂ側に貫通した後、固定部材３０の爪部収容部３３内に湾曲しつつ受け入れられる。
【００２８】
生地２への取り付け前すなわち初期状態の雌スナップ本体５０と固定部材３０とを同心状に配置した場合、爪部５７は、半径方向において、固定部材３０の環状傾斜部３２の上下端間に対応する位置にある。
【００２９】
以下の雌スナップボタン４０の生地２への取り付けの説明において、上下方向は図９の紙面に基づくものとする。雌スナップボタン４０を図８に示すように生地２に取り付ける場合、図示しないボタン取付装置の上方ダイに雌スナップ本体５０を保持させ、下方ダイに固定部材３０をセットし、更に固定部材３０上に生地２を配する。この状態から上方ダイを降下させると、雌スナップ本体５０の各爪部５７が生地２を下方に貫通した後、各爪部５７の先端が固定部材３０の環状傾斜部３２に突き当たる。各爪部５７は、次いで、環状傾斜部３２の傾斜する上面に沿って半径方向外側に曲がりつつ受け入れ口３５から爪部収容部３３の内部に案内され、爪部収容部３３の内面に沿ってＣ字状に湾曲するように加締められる。このように雌スナップ本体５０の各爪部５７が爪部収容部３３内で加締められることにより、雌スナップ本体５０が固定部材３０と共に生地２に取り付けられる（図９参照）。生地２に取り付けられた状態において、雌側係合部材６０を保持部５１で保持した環状部材５１Ａが生地２の上面２ａ上に円環状に現れ（図８参照）、環状部材５１Ａの底壁５４が生地２の上面２ａに接する。また、底壁５４の半径方向内側端５４ａ及び各爪部５７の基端５７ａが規定する開口５８から生地２の上面２ａが外部に露出する。上述したように開口５８の直径Ｄ２＞雌スナップ本体幅Ｗ２であるため、環状部材５１Ａ及び雌側係合部材６０が生地２の上面２ａをほとんど隠すことなく露出させるため、従来のスナップボタンに比べて生地２上で雌スナップ本体５０が目立たず、生地２を目立たせることができる。更に、爪部５７を雌スナップ本体５０側に設け、爪部収容部３３を固定部材３０に設けたことにより、生地２上の保持部５１の厚さ（高さ）を薄くすることができる。
【００３０】
図１４は、本発明の別の実施形態に係る雌スナップボタン１４０を生地２（図８の生地２と同じものであるため同じ参照番号を用いる。）に取り付けた状態を示す斜視図である。雌スナップボタン１４０は、雌スナップ本体１５０と既述したものと同じ固定部材３０の２部材からなる。図１５は、生地２に取り付ける前の雌スナップ本体１５０を示す斜視図である。図１６は雌スナップ本体１５０の平面図である。図１７は図１６のＣ−Ｃ線に沿う雌スナップ本体１５０の断面図である。以下の雌スナップ本体１５０の説明について、上下方向は図１７の紙面に基づくものとする。雌スナップ本体１５０は、上述した雌スナップ本体５０と同様に、雌側係合部材６０と、保持部５１を含む環状部材１５１Ａと、環状部材１５１Ａから軸方向下方へと一例として５本延びる爪部１５７とを備える。雌スナップ本体１５０は、雌スナップ本体５０と比べて、雌スナップ本体１５０における爪部１５７の基端１５７ａと、環状部材１５１Ａの底壁１５４の半径方向内側端１５４ａとが以下に述べるように異なる。これら相違点以外、雌スナップ本体１５０は雌スナップ本体５０と実質的に共通する構成である。そのため、雌側係合部材６０及び保持部５１の周側壁５２及び上壁５３については同じ参照番号を用い、共通部分の説明は省略する。
【００３１】
雌スナップ本体１５０の環状部材１５１Ａの底壁１５４は、その半径方向内側端１５４ａに、各爪部１５７の基端１５７ａの周方向両側（環状部材１５１Ａの周方向における基端１５７ａの両側）に半径方向に沿う２つ１組のスリット１５９が設けられている。各スリット１５９は底壁１５４の半径方向内側端１５４ａから半径方向外側に向けてわずかに入れられる。本実施形態では、各爪部１５７は底壁１５４の各組のスリット１５９間において半径方向内側にわずかに突き出るように湾曲しつつ下方に延びる。底壁１５４の各組のスリット１５９間部分（以下、「スリット間部分」という。）では、底壁１５４の半径方向内側端１５４ａは各組のスリット１５９の半径方向外側端を結ぶ周方向に沿う仮想線であり、この仮想線から各爪部１５７が延び始める。雌スナップ本体１５０では、雌スナップ本体５０に比べ、スリット１５９が設けられた分、各爪部１５７の基端１５７ａの半径方向位置が半径方向外側にわずかにずれる。底壁１５４のスリット間部分以外の部分（以下、「非スリット間部分」という。）における底壁１５４の半径方向内側端１５４ａは、スリット間部分の半径方向内側端１５４ａ（上記仮想線）よりも半径方向内側に位置する。雌スナップ本体１５０が生地２に取り付けられた状態において、図１６から分かるように、各爪部１５７の基端１５７ａは、非スリット間部分の底壁１５４の半径方向内側端１５４ａとほぼ同じ半径方向位置にある。各爪部１５７の基端１５７ａと底壁１５４の非スリット間部分の半径方向内側端１５４ａは、上下に開放するほぼ円形の開口１５８を規定する。図１６を参照して、開口１５８の直径Ｄ３は、開口１５８の半径方向外側端から雌スナップ本体１５０の半径方向外側端である周側壁５２までの半径方向に沿う長さ（雌スナップ本体幅）Ｗ３よりも大きい。本実施形態では、Ｄ３はＷ３の約３倍である。雌スナップボタン１４０が生地２に取り付けられた状態で生地２の上面２ａは開口１５８から外部に露出する（図１４参照）。開口１５８の直径Ｄ３＞雌スナップ本体幅Ｗ３であるため、雌スナップ本体１５０を生地２に取り付けた状態において、環状部材１５１Ａ及び雌側係合部材６０が上面２ａを大きく隠すことなく、開口１５８から上面２ａを露出させて生地２を目立たせることができる。
【００３２】
図１８は、固定部材３０の変形例である固定部材３０ａの断面図である。固定部材３０ａは、既述した固定部材３０の中央部３１に対応する部分を切除して開口３１ａとしたものである。固定部材３０ａは開口３１ａ以外、固定部材３０と共通するため、環状傾斜部３２と爪部収容部３３について同じ参照番号を用いて説明を省略する。この固定部材３０ａを用いた場合、雌スナップボタン１４０を生地２に取り付けた状態で、開口３１ａから生地２の下面２ｂを露出させ、目立たせることができる。
【００３３】
以上に説明した雌スナップボタン４０、１４０では、生地２を露出させる開口５８、１５８を、環状部材５１Ａ、１５１Ａが爪部５７、１５７の基端５７ａ、１５７ａと共に規定しているが、本発明に係る雌スナップボタンは、そのよう実施形態に限定されるものではなく、以下に述べるように雌側係合部材２６０が開口２５８を規定してもよい。図１９は、本発明の第３実施形態に係る雌スナップボタンにおける雌スナップ本体２５０の平面図である。図２０は図１９のＤ−Ｄ線断面図である。なお、雌スナップ本体２５０と共に雌スナップボタンを構成する固定部材３０は既述したものと実質的に同じである。雌スナップ本体２５０は、環状の雌側係合部材２６０と、保持部２５１を含む環状部材２５１Ａと、環状部材２５１Ａから軸方向下方へと一例として５本延びる爪部２５７とを備える。本実施形態では、環状部材２５１Ａの全部分が保持部２５１となり、保持部２５１の上壁５３及び周側壁５２は雌スナップボタン４０と共通するため、同じ参照番号を用いる。本実施形態において、雌側係合部材２６０の半径方向内側端である係合端２６１は、保持部２５１（環状部材２５１Ａ）の底壁２５４の半径方向内側端２５４ａよりも半径方向内側に位置する。また、係合端２６１は上壁５３の半径方向内側端５３ａよりも半径方向内側に位置する。そのため、雌側係合部材２６０の係合端２６１が生地を露出させる開口２５８を規定する。図１９を参照して、開口２５８の直径Ｄ４は、開口２５８の半径方向外側端から雌スナップ本体２５０の半径方向外側端である周側壁５２までの半径方向に沿う長さ（雌スナップ本体幅）Ｗ４よりも大きい。本実施形態では、Ｄ４はＷ４の約４倍である。図示はしないが、雌スナップ本体２５０を生地に取り付けた状態において、生地の上面が開口２５８から外部に露出する。この際、各爪部２５７の基端２５７ａは雌側係合部材２６０によってユーザからは見えないか、もしくは見えにくい。開口２５８の直径Ｄ４＞雌スナップ本体幅Ｗ４であるため、環状部材２５１Ａ及び雌側係合部材２６０が生地の上面を大きく隠すことなく、開口２５８から生地の上面を露出させて生地を目立たせることができる。
【符号の説明】
【００３４】
１、２  生地
１０  雄スナップボタン
２０  雄スナップ本体
２１  雄側係合部
２２  外側周壁
２３  内側周壁
２３ａ  内側周壁の内周面
２３ｂ  内側周壁の下端
２６  係合頭部
２７  爪部
２８  開口
３０  固定部材
３２  環状傾斜部
３３  爪部収容部
４０、１４０  雌スナップボタン
５０、１５０、２５０  雌スナップ本体
５１、１５１、２５１  保持部
５１Ａ、１５１Ａ、２５１Ａ  環状部材
５４、１５４、２５４  底壁
５４ａ、１５４ａ、２５４ａ  底壁の半径方向内側端
５７、１５７、２５７  爪部
５７ａ、１５７ａ、２５７ａ  爪部の基端
５８、１５８、２５８  開口
６０、２６０  雌側保持部材（雌側保持部）
６１、２６１  係合端
１５９  スリット
【図１】
2020105194.tif 000003
【図２】
2020105194.tif 000004
【図３】
2020105194.tif 000005
【図４】
2020105194.tif 000006
【図５】
2020105194.tif 000007
【図６】
2020105194.tif 000008
【図７】
2020105194.tif 000009
【図８】
2020105194.tif 000010
【図９】
2020105194.tif 000011
【図１０】
2020105194.tif 000012
【図１１】
2020105194.tif 000013
【図１２】
2020105194.tif 000014
【図１３】
2020105194.tif 000015
【図１４】
2020105194.tif 000016
【図１５】
2020105194.tif 000017
【図１６】
2020105194.tif 000018
【図１７】
2020105194.tif 000019
【図１８】
2020105194.tif 000020
【図１９】
2020105194.tif 000021
【図２０】
2020105194.tif 000022
【国際調査報告】
2020105194.tif 000023
2020105194.tif 000024